(57)【特許請求の範囲】
【請求項１】
植物栽培用容器内に複数置かれて、下方に水溜め空間を形成するとともに、上方の客土を支持する置き敷きであって、
この置き敷きの少なくとも一側端に連結突起を形成し、この連結突起を他の置き敷きの他の側端に重ねることにより、上記客土が水溜め空間内にこぼれ出ないようにしたことを特徴とする植物栽培用容器において使用する置き敷き。
【請求項２】
前記連結突起の表面に少なくとの一本の係合リブを形成し、この係合リブを、他の植物栽培用容器の下面に形成した側面リブに係合させることにより、互いを係合させ得るようにしたことを特徴とする請求項１に記載の植物栽培用容器において使用する置き敷き。
【発明の詳細な説明】
【０００１】
【発明の属する技術分野】
本発明は、植物栽培用容器、特に、屋上緑化を樹木等の木本類植物によって行うのに適した植物栽培用容器において使用する置き敷きに関するものである。
【０００２】
【従来の技術】
近年では、ビルの屋上緑化を積極的に行うことが要望されてきており、そのための器材や装置も種々提案されてきている。例えば、特開２００２−１１９１３７号公報には、「屋上緑化の良さは解るが予算が追いつかない。建物の屋上に植物を栽培するにあたって種々の課題（条件）が設定される。屋上の防水を痛めてはいけない」等を課題として、「植物栽培用ユニット及び植物の栽培方法及び屋上緑化装置及び屋上緑化の方法及び毛細管用弁」が提案されている。
【０００３】
この特開２００２−１１９１３７号公報にて提案されている緑化装置等は、図１２にも示すように、容器内に施しておいた土に変わる培地内に植物を植栽するものであり、この培地に対しては、その上下両側から毛細管現象によって給水するようにしたものである。換言すれば、この特開２００２−１１９１３７号公報にて提案されている植栽方法は、基本的には水耕栽培技術を利用したものと考えられる。
【０００４】
しかしながら、このような従来の水耕栽培技術を利用した屋上緑化技術は、主として草本類を育成することに主眼が置かれており、木本類、つまり樹木を育成することによる緑化を行うことは、それ程意が用いられてはいないのが現状である。何故なら、そもそも水耕栽培は、樹木を育てることには不向きな技術だからである。
【０００５】
また、上記特開２００２−１１９１３７号公報にて提案されている植栽方法では、図１２、及び上記公報の特許請求の範囲に示されているように、培地は「メッシュ４」によって支えられていることになっている。メッシュとは「網」のことであるから、相当な剛性のある材料によって形成しない限り、木本類植物やそのための培地を支えることはできない。以上の意味では、当該公報に示された従来技術は、木本類植物の植栽には適さない。
【０００６】
さらに、木本類を育成する上での困難性は、草本類のそれに対して、比較的広くて深い植栽場所が必要であるということに起因する。木本類は、これが十分生育するには、根を広く深く張らなければならないからである。この点からしても、図１２に示した従来技術では、木本類が十分生育できるほどの深さの培地を用意することができないものと考えられるのである。
【０００７】
木本類の植栽を行うためには、当然大きな容器を用意し、これに土を入れて木本類を植栽することが考えられるが、木本類の十分な植栽を行うことのできる大きな容器を用意することは並大抵ではない。しかも、最近のビルは大型化してきており、屋上の面積も相当広くなってきているから、このような大きな容器を多数並べなければならない。その場合には、従来の水耕栽培技術を適用することは、非常に効率の悪いことになるのである。
【０００８】
また、屋上緑化を行う装置は、従来技術も述べているように、屋上の防水構造を阻害するようなものであってはならないし、耐久性に優れているものであることは当然として、人造構造物という印象をなるべく人にに与えないようにするとともに、見た人に安らぎを与えるものでなければならない。
【０００９】
また、屋上では強風の吹くことが度々あり、この強風が草本類植物より背の高い木本類植物にあたれば、この木本類植物がこれを植えていた容器ととも倒れてしまうことが当然予想される。そうなると、この種の木本類植物を植栽する容器としては、ある程度の重量のあるものが必要である。
【００１０】
そして、屋上緑化を行う装置は、従来技術も述べているように、屋上の防水構造を阻害するようなものであってはならないし、耐久性に優れているものであることは当然として、人造構造物という印象をなるべく人に与えないようにするとともに、見た人に安らぎを与えるものでなければならない。
【００１１】
さらには、屋上緑化は、イベント会場に花を飾るのとは異なって、常時しかも何年にも亘って継続的に行うことによって、見た人に安らぎを与えるものでなければならないから、そのための資材一つ一つが十分な剛性と耐久性を有したものでなければならない。特に、培地内に入ったままとなる置き敷き（図１２の従来例ではメッシュ４に該当するもの）に関しては、一端設置してしまうと直しが効かないため、施工の最初から十分な剛性や施工のし易さを有したものでなければならないのである。
【００１２】
そこで、本発明者は、木本類による屋上緑化を行うに当たって、植物栽培用容器内に敷設される置き敷きについて、これを耐久性にも優れて植栽を確実に行えるものとするには如何にしたらよいか、について種々検討してきた結果、本発明を完成したのである。
【００１３】
【発明が解決しようとする課題】
本発明は、以上の実状に鑑みてなされたもので、その解決しようとする課題は、植物栽培用容器内に、木本類植物のための潅水用水を溜めておく水溜め空間を確実に形成することができて、木本類植物のための客土の保持をも確実に行うことのできる置き敷きを提供することにある。
【００１４】
【課題を解決するための手段】
以上の課題を解決するために、まず、請求項１に係る発明の採った手段は、後述する実施の形態の説明中において使用する符号を付して説明すると、
「植物栽培用容器１０内に複数置かれて、下方に水溜め空間Ｒを形成するとともに、上方の客土７０を支持する置き敷き２０であって、
この置き敷き２０の少なくとも一側端に連結突起２３を形成し、この連結突起２３を他の置き敷き２０の他の側端に重ねることにより、上記客土７０が水溜め空間Ｒ内にこぼれ出ないようにしたことを特徴とする植物栽培用容器１０において使用する置き敷き２０」
である。
【００１５】
すなわち、この請求項１に係る置き敷き２０は、図１及び図２に示すような植物用栽培容器１０内に、図３に示すように複数敷いて使用されるものであり、これにより、これらの置き敷き２０の下方に木本類植物Ｐへの潅水のための水を溜めておく水溜め空間Ｒを形成してこの水溜め空間Ｒの維持を図るとともに、これらの置き敷き２０上に投入される客土７０を支持して水溜め空間Ｒ内へのこぼれ出をも防止するものである。
【００１６】
そのために、各置き敷き２０は、図３に示すように、天板部２２を脚２１によって支持させるようにする必要があるだけでなく、図６〜図９に示すように、その少なくとも一側端に連結突起２３を形成したものでなければならないのである。この連結突起２３は、例えば図９に示すように、他の置き敷き２０の側端に重ねられるものである。
【００１７】
勿論、この置き敷き２０は、土や水に対して十分な耐久性を有している必要があるから、これを合成樹脂を材料として型成形するのが最も効果的であるが、その際には、各連結突起２３は置き敷き２０を構成している天板部２２と一体的に形成されるものであることは言うまでもない。
【００１８】
また、この連結突起２３は、図６に示す実施形態の置き敷き２０のように、その天板部２２を四角形状のものとしておき、この天板部２２の一つの長側と一つの短側に合計２個形成しておくと、長側は長側で、また短側は短側で各連結突起２３により互いに重なり合うから、植物用栽培容器１０内で複数の置き敷き２０を敷く作業を最も効果的に行えることになる。
【００１９】
従って、この請求項１に係る置き敷き２０は、植物栽培用容器１０内に、木本類植物Ｐのための潅水用水を溜めておく水溜め空間Ｒを確実に形成することができるものとなっているだけでなく、木本類植物Ｐのための客土７０の保持をも確実に行えるものとなっているのである。
【００２０】
上記課題を解決するために、請求項２に係る発明の採った手段は、上記請求項１の置き敷き２０について、
「連結突起２３の表面に少なくとも一本の係合リブ２３ａを形成し、この係合リブ２３ａを、他の植物栽培用容器１０の下面に形成した側面リブ２２ｂまたは２２ｃに係合させることにより、互いを係合させ得るようにしたこと」
である。
【００２１】
すなわち、この請求項２に係る置き敷き２０は、請求項１で述べた連結突起２３の表面に、図６の（イ）及び図７〜図９に示すように、少なくとも一本の係合リブ２３ａを形成しておいて、この係合リブ２３ａを、図９に示すように、天板部２２の側端に形成した長側面リブ２２ｂまたは短側面リブ２２ｃに係合させるようにしたものである。
【００２２】
このような係合リブ２３ａを連結突起２３が有していれば、各連結突起２３と他の置き敷き２０の側端との重ね合わせは、各係合リブ２３ａを、他の植物栽培用容器１０の下面に形成した側面リブ２２ｂまたは２２ｃに係合させることにより、置き敷き２０同士を互いに係合させた状態で行えるのである。換言すれば、係合リブ２３ａと、側面リブ２２ｂまたは２２ｃとが互いに係合されることにより、各置き敷き２０間の位置決め作業を容易に行えるだけでなく、各置き敷き２０の重ね合わせ作業を隙間のない状態で確実に行えることになるのである。
【００２３】
また、この置き敷き２０における係合リブ２３ａは、これと側面リブ２２ｂまたは２２ｃとの互いの係合を行えるのであるから、各置き敷き２０上に客土７０されてその重量が加わった場合に、各置き敷き２０の形状維持を確実にするから、水溜め空間Ｒの形状維持が十分なされるとともに、客土７０の表面の陥没を阻止するから、木本類植物Ｐの育成を確実に行えるのである。
【００２４】
さらに、この係合リブ２３ａは、図７〜図９に示したように、連結突起２３の表面に対して立ち上がったものとなっているから、当該連結突起２３の剛性を高めていることは勿論、その結果、本発明の置き敷き２０それ自体の剛性をも高めているのである。
【００２５】
従って、この請求項２の置き敷き２０は、上記請求項１のそれと同様な機能を発揮することは勿論、互いの重ね合わせ状態の維持が確実になされ、結果的に木本類植物Ｐの育成を十分行うことができるのである。
【００２６】
なお、本発明に係る置き敷き２０は、植物栽培用容器１０内に収納されるものであるが、この植物栽培用容器１０は、図１または図２に示すように、屋上に多数設置して、給水配管６０により、屋上の上側となる部分に設置した水源（水道）６１からの潅水を行い、かつ屋上の下側となる部分にて排水することにより、これに木本類植物Ｐを植栽したとき、その育成を良好に行えるようにするものである。
【００２７】
この植物栽培用容器１０は、実施形態に係るものの場合、合成樹脂を材料とした射出成形により形成したものであり、９０ｃｍ角で深さ６０ｃｍ以上ものである。また、この植物栽培用容器１０は、下面に多数形成した補強リブによって補強した底部１１と、これから斜めに立ち上がる側壁１２とによって四角の箱状に形成したものである。
【００２８】
【発明の実施の形態】
次に、上記のように構成した各請求項の発明を、図面に示した実施の形態である栽培装置１００について説明するが、この栽培装置１００は、図１及び図２に示すように、複数の植物栽培用容器１０を屋上に設置するとともに、これら各植物栽培用容器１０間を給水配管６０によって接続して、これらの給水配管６０により、屋上の上側となる部分に設置した水源６１からの潅水を行い、かつ屋上の下側となる部分にて排水を行うようにしたものであって、各植物栽培用容器１０内に、その底面から水溜め空間Ｒを形成するように僅かに立ち上がる置き敷き２０を敷き詰めて、これらの置き敷き２０上に防根透水シート３０を直接敷設し、この防根透水シート３０の上に植栽土を詰めたものである。
【００２９】
すなわち、この実施形態の栽培装置１００は、本発明に係る置き敷き２０を各植物栽培用容器１０内に収納して構成したものであり、これらの植物栽培用容器１０の構成から先に説明していくと、次の通りである。
【００３０】
上述したように、図１及び図２には、複数の植物栽培用容器１０を使用した栽培装置１００の斜視図と平面図が示してあるが、植物栽培用容器１０が複数あっても、これらを給水配管６０で連結しておくことにより、一つの水源、例えば水道６１や雨水タンクから全ての植物栽培用容器１０内への潅水が行えるようにしてある。屋上は、例えば雨水の排水のために、どちらかに僅かに傾斜させてあるのが一般的であり、各植物栽培用容器１０を設置するに際しては、その傾斜の上側に水道６１がきて、傾斜の下側に排水できるようにしておく。
【００３１】
栽培装置１００を構成してる各植物栽培用容器１０は、合成樹脂を材料として一体的に射出成形したものであり、図１〜図５に示したように、底部１１のある略箱形状のものである。また、この植物栽培用容器１０にあっては、底部１１の外周から側壁１２が傾斜状態で立ち上がるようにしてあって、この側壁１２の上端には、図３にも示したように、水平フランジ部１３が一体的に形成してある。なお、底部１１の下面には、図４の下半分で示したように、多数の補強リブが形成してある。
【００３２】
側壁１２は、上部になるにしたがって外方に傾斜するものであり、図４の上側半分で示したように、底部１１よりも上方開口が大きくなるようにしてある。このようにすることによって、この植物栽培用容器１０の多数を積み重ねることができるようになっている。この側壁１２には、図４の上側半分及び図５に示したように、上下の水平段部１２ａが形成してある。これらの水平段部１２ａは、当該側壁１２の断面形状を複雑にすることになるものであり、このことと側壁１２自体の傾斜とによって、側壁１２全体の剛性を高めるようにしたものである。
【００３３】
また、この側壁１２の外面上部の適宜位置には、図３に示したように、手掛け１４が形成してあって、この手掛け１４を利用することにより、当該植物栽培用容器１０の個別的運搬が容易になるようにしてある。勿論、この手掛け１４は人の手が十分入り得るものであるが、本実施形態のものでは、後述する連結金具の固定を行うボルトナットの回動操作をも行える程度の大きさとしてある。
【００３４】
さらに、この側壁１２の上端には、図３〜図５に示したように、水平フランジ部１３が一体的に形成してある。この水平フランジ部１３は、植物栽培用容器１０全体の剛性を高めるとともに、後述する化粧カバー４０の連結金具による固定が十分行えるようなものとしてある。この水平フランジ部１３の上記手掛け１４に対応する部分には、図４に示したように、化粧カバー４０固定のためのボルトを挿通するための取付穴１３ａが形成してある。
【００３５】
以上のように成形された植物栽培用容器１０内には、図３にも示したように、置き敷き２０が敷設される。この置き敷き２０は、当該植物栽培用容器１０内に水溜め空間Ｒを形成するための脚２１を有しているもので、その四角形状に形成した天板部２２の下面には剛性を高めるための補強リブが一体的に形成してある。この天板部２２の一部は、当該置き敷き２０を植物栽培用容器１０の底部１１上に敷き詰めるときに部分的に重ねられるものであり、これにより、上方に入れられる客土７０が下側の水溜め空間Ｒ内に漏れ出ないようにされる。
【００３６】
各置き敷き２０は、例えば合成樹脂を材料として一体成形したものであり、図６〜図９にも示したように、複数（本実施形態では６本）の脚２１と、これらによって、植物用栽培容器１０の底部１１上に水溜め空間Ｒを形成する状態で支持されることになる天板部２２と、この天板部２２の長短両側端に一体成形した２つの連結突起２３とを有したものである。
【００３７】
本実施形態における天板部２２は、図６に示したように、植物用栽培容器１０の四角形状に応じた略四角形状のものであり、その表面は平らであるが、裏面には、図６の（ロ）に示したように、裏面リブ２２ａ、長側面リブ２２ｂ及び短側面リブ２２ｃが形成してある。勿論、この天板部２２の表面を凹凸のあるものとすることによって、後述する防根透水シート３０等のズレ防止を図るように実施してもよいものである。
【００３８】
天板部２２の裏面に形成した裏面リブ２２ａは、図６の（ロ）に示したように、裏面の外周を除く中間面に形成した網の目状のものであり、当該天板部２２の剛性を高めるのが主な形成理由である。これに対して、長側面リブ２２ｂ及び短側面リブ２２ｃは、天板部２２裏面の外周に形成したものであり、後述する連結突起２３上の係合リブ２３ａが係合されることになるものである。
【００３９】
連結突起２３は、天板部２２の少なくとも一側端に一体的に形成したものであり、本実施形態にあっては、図６に示したように、長側に一個、短側に一個形成してある。この連結突起２３は、他の置き敷き２０の天板部２２に、隙間が発生にくい状態で重なり合うのであればどのような形状であってもよいが、本実施形態では、この連結突起２３の表面に２本の係合リブ２３ａが形成してある。
【００４０】
各係合リブ２３ａは、各連結突起２３と他の置き敷き２０の側端との重ね合わせを行う場合に、他の植物栽培用容器１０の下面に形成した側面リブ２２ｂまたは２２ｃに係合させることができるものであり、その結果、置き敷き２０同士を互いに係合さることができるものである。換言すれば、係合リブ２３ａと、側面リブ２２ｂまたは２２ｃとを互いに係合させることにより、各置き敷き２０間の位置決め作業を容易に行えるだけでなく、各置き敷き２０の重ね合わせ作業を隙間の全くない状態で確実に行えるのである。
【００４１】
また、この係合リブ２３ａは、これと側面リブ２２ｂまたは２２ｃとの互いの係合を行えるのであるから、各置き敷き２０上に客土７０されてその重量が加わった場合に、各置き敷き２０の形状維持を確実にし、水溜め空間Ｒの形状維持を十分行い、客土７０の表面の陥没をも阻止する。
【００４２】
各係合リブ２３ａは、側面リブ２２ｂまたは２２ｃに係合しなければならないから、Ｄの側部の全長に亘って形成してあるのではなく、図６に示したように、それぞれの両端に切除部２３ｂを形成したものとしてある。これらの切除部２３ｂは、各置き敷き２０同士を互いに各係合リブ２３ａ方向にズラせるようにするものであり、これにより、各置き敷き２０同士の位置決めを容易にするものである。
【００４３】
さらに、各係合リブ２３ａは、一本だけであっても十分であるが、実施形態のように複数形成してあると、次のような便利な面がある。つまり、図９の（イ）に示すように、一番外側の係合リブ２３ａを利用すれば、他の置き敷き２０との間を広げて係合させることもできるし、図９の（ロ）に示すように、一番内側の係合リブ２３ａを利用すれば、他の置き敷き２０との間を詰めて係合させることもできるのである。
【００４４】
このような係合リブ２３ａによる各置き敷き２０間の係合にある程度の自由度があることは、本発明に係る置き敷き２０は勿論、これが収納される大きな植物栽培用容器１０にとって重要なことである。何故なら、これらの植物栽培用容器１０や置き敷き２０は、木本類植物Ｐを植栽するために比較的大きなものとして形成しなければならず、これらの大きなものを合成樹脂を材料として射出成形すると、どうしても収縮等による規定外の変形が生ずるが、このような各置き敷き２０や植物栽培用容器１０における変形は、係合リブ２３ａによる各置き敷き２０間の係合における自由度によって吸収されるからである。
【００４５】
また、本実施形態の置き敷き２０では、その上に防根透水シート３０が載置され、この防根透水シート３０を通して下端が水溜め空間Ｒ内に浸積する吸水棒３１が挿通されるから、この吸水棒３１を通すための吸水棒挿入穴２４が、図６に示したように、合計３個形成してある。これらの吸水棒挿入穴２４は、吸水棒３１を垂直にする必要上から、図７及び図８に示したように、略筒状のものとしてある。
【００４６】
さらに、この置き敷き２０の天板部２２に根の水溜め空間Ｒ内への進入を許す穴を形成しておくとよい。この穴は、木本類植物Ｐの根が防根透水シート３０を通して下方の水溜め空間Ｒ内に延びることを許容することになる。これにより、長期間植栽されることによって延びた根は、当該置き敷き２０自体をも包み込むことになるから、各置き敷き２０の固定及び安定化が図られることにもなる。
【００４７】
なお、植物栽培用容器１０の内側であって、当該置き敷き２０と同じ程度の高さの位置に、当該置き敷き２０の一部を係合するための係合部を一体成形しておくとよい。この係合部は、植物栽培用容器１０内に置かれる各置き敷き２０の固定を行えるのである。
【００４８】
なお、本実施形態の植物栽培用容器１０では、その側壁１２の適宜個所に、給水配管６０を挿通するための穴を形成してこの給水配管６０の固定を行い易くするために、小さな垂直壁部分が一体成形形成してある。この垂直壁部分には、作業者が施工現場にて穴を開けて、これに給水配管６０を挿通及び取付を行うのである。
【００４９】
また、これらの置き敷き２０上には、図３にも示したように、客土７０を入れる前に防根透水シート３０が敷かれる。この防根透水シート３０は、合成繊維からなる不織布等であり、その上に入れられる客土７０が水溜め空間Ｒ内に入らないようにするとともに、上側の客土７０からの余剰水の水溜め空間Ｒ内への透水性を有したものであり、また吸水棒３１によって吸い上げられた水の拡散をも果たす吸水性も有したものである。
【００５０】
つまり、本実施形態防根透水シート３０は、そのまま置き敷き２０上に敷いただけで使用されることもあるが、これに部分的に穴を開けて、この穴内に、図３に示したように、吸水棒３１を挿通しておくこともなされる。この吸水棒３１は、水溜め空間Ｒ内からの水を吸い上げるためのものであり、その下端を植物栽培用容器１０の底部１１上に付くようにして、上記各置き敷き２０に設けた吸水棒挿入穴２４内に挿通され、その大部分が防根透水シート３０上の客土７０内に位置するように配置される。以上のようにしておけば、客土７０中に水分が不足する場合、水溜め空間Ｒ内の水が各吸水棒３１によって吸い上げられ、置き敷き２０中に直接給水されるとともに、上述した防根透水シート３０を通して全体に広げられるのである。
【００５１】
さて、図１または図２に示したような状態に複数の植物栽培用容器１０を配置した後には、人の目に見える外側面となった側壁１２に、図１１〜図１０に示したような化粧カバー４０が取り付けられる。この化粧カバー４０は、例えば廃棄プラスチック等の合成樹脂を使用して一体成形したものであり、側壁１２の見える部分を隠すための化粧面４１を有している。この化粧面４１は、その表面に例えば自然木や石を凝らしたものであり、図３等に示したように、側壁１２とは異なって垂直面を形成するものである。
【００５２】
この化粧面４１の上端には、図１１に示したように、該当する植物栽培用容器１０側に向けて突出する止め部４２が形成してあり、この止め部４２は、植物栽培用容器１０側の水平フランジ部１３に、図示しない連結金具を介して固定されるものである。また、これらの化粧カバー４０は、側壁１２と同じ面積のものとして形成してもよいが、それだと大きくなりすぎ、また植物栽培用容器１０のコーナー部の覆いが完全に行えないので、側壁１２の面積の例えば１／３程度の大きさのものとしてある。
【００５３】
各化粧カバー４０が側壁１２の１／３程度の大きさであれば、一つの側壁１２に対して複数の化粧カバー４０を固定しなければならないことになるが、その場合の隙間発生を防止するために、本実施形態の各化粧カバー４０においては、図１１に示したように、それぞれ連結凸部４３及び連結凹部４４を形成しておいて、これらの連結凸部４３及び連結凹部４４を互いに嵌合させて、上記隙間の発生を防止するようにしている。
【００５４】
これらの化粧カバー４０は、植物栽培用容器１０の側壁１２に直接取り付けるようにしてもよいが、その場合には強力な接着剤や側壁１２への穴開けが必要になるため、本実施形態では、上述したように、植物栽培用容器１０側の水平フランジ部１３と化粧カバー４０の上端に形成した止め部４２との間を固定するようにしている。この場合、両者間には隙間が生じるので、連結金具を使用するのである。この連結金具としては、平板状のものであってもよいが、隙間を埋めながら両者の固定を行うには、立ち上がり部を有して左右に延びる腕部を有するものがよい。各連結金具が、立ち上がり部とこれから延びる腕部を有したものであると、この立ち上がり部を適宜傾斜させることにより、当該連結金具が入る空間（隙間）の大きさに簡単に合わせられるからである。
【００５５】
【発明の効果】
以上詳述した通り、まず、請求項１に係る発明においては、上記実施形態にて例示した如く、
「植物栽培用容器１０内に複数置かれて、下方に水溜め空間Ｒを形成するとともに、上方の客土７０を支持する置き敷き２０であって、
この置き敷き２０の少なくとも一側端に連結突起２３を形成し、この連結突起２３を他の置き敷き２０の他の側端に重ねることにより、上記客土７０が水溜め空間Ｒ内にこぼれ出ないようにしたこと」
にその構成上の特徴があり、これにより、植物栽培用容器１０内に、木本類植物Ｐのための潅水用水を溜めておく水溜め空間Ｒを確実に形成することができて、木本類植物Ｐのための客土７０の保持をも確実に行うことのできる植物栽培用容器１０において使用する置き敷き２０を提供することができるのである。
【００５６】
また、請求項２に係る発明においては、上記請求項１の置き敷き２０について、
「連結突起２３の表面に少なくとも一本の係合リブ２３ａを形成し、この係合リブ２３ａを、他の植物栽培用容器１０の下面に形成した側面リブ２２ｂまたは２２ｃに係合させることにより、互いを係合させ得るようにしたこと」
にその構成上の特徴があり、これにより、上記請求項１と同様な効果を発揮することは勿論、さらには、施工作業を容易にすることができて、耐久性にも優れた置き敷き２０を提供することができるのである。
【図面の簡単な説明】
【図１】本発明に係る置き敷きが使用される植物栽培用容器及び栽培装置の斜視図である。
【図２】同栽培装置及び植物栽培用容器の平面図である。
【図３】化粧カバーを取り付けた一個の植物栽培用容器の拡大断面図である。
【図４】下側半分を底面として示した植物栽培用容器の平面図である。
【図５】右側半分を断面とした植物栽培用容器の正面図である。
【図６】本発明に係る置き敷きを示すもので、（イ）はその平面図、（ロ）はその底面図である。
【図７】同置き敷きの、図６中の１−１線に沿ってみた拡大断面図である。
【図８】同置き敷きの、図６中の２−２線に沿ってみた拡大断面図である。
【図９】同置き敷きの連結突起における重ね合わせ状態を示すもので、（イ）は一個の係合リブを利用して重ねた場合を示す部分拡大断面図、（ロ）は二個の係合リブを利用して重ねた場合を示す部分拡大断面図である。
【図１０】植物栽培用容器の水位センサーを設けた部分の部分断面図である。
【図１１】平板状の化粧カバーを示すもので、（イ）はその正面図、（ロ）は背面図、（ハ）は底面図、（ニ）は横断面図である。
【図１２】従来の技術を示す部分断面図である。
【符号の説明】
１００    栽培装置
１０    植物栽培用容器
１１    底部
１２    側壁
１２ａ  水平段部
１３    水平フランジ部
１３ａ  取付穴
１４    手掛け
２０    置き敷き
２１    脚
２２    天板部
２２ａ  裏面リブ
２２ｂ  （長）側面リブ
２２ｃ  （短）側面リブ
２３    連結突起
２３ａ  係合リブ
２３ｂ  切除部
２４    吸水棒挿入穴
３０    防根透水シート
３１    吸水棒
４０    化粧カバー
４１    化粧面
４２    止め部
４３    連結凸部
４４    連結凹部
６０    給水配管
６１    水道
６２    コントロールボックス
６３    水位センサー
７０    客土
Ｐ      木本類植物
Ｒ      水溜め空間
【図１】
0003890499.tif 000002
【図２】
0003890499.tif 000003
【図３】
0003890499.tif 000004
【図４】
0003890499.tif 000005
【図５】
0003890499.tif 000006
【図６】
0003890499.tif 000007
【図７】
0003890499.tif 000008
【図８】
0003890499.tif 000009
【図９】
0003890499.tif 000010
【図１０】
0003890499.tif 000011
【図１１】
0003890499.tif 000012
【図１２】
0003890499.tif 000013